(57)【要約】      （修正有）【課題】一度位置決めされたアウタエスカッションとディスプレイとの位置関係がずれないように、車両に取り付けることのできる車載ディスプレイ装置を提供する。【解決手段】車両のダッシュボードに取り付けられる車載ディスプレイ装置１００は、ディスプレイ１１を備え、ダッシュボードに埋め込まれるディスプレイ装置１０と、ダッシュボードに取り付けられ、ディスプレイを露出する開口を有するアウタエスカッション２０とを備える。ディスプレイ装置１０、アウタエスカッション２０は、山部及び谷部の繰り返し形状を有するセレーションをそれぞれ有し、各セレーションが嵌合して、ディスプレイ装置１０とアウタエスカッション２０との間の位置決めがされる。【選択図】図２
2013159124.tif 000002
【特許請求の範囲】
【請求項１】
車両のダッシュボードに取り付けられる車載ディスプレイ装置であって、
ディスプレイを備え、前記ダッシュボードに埋め込まれるディスプレイ装置と、
前記ダッシュボードに取り付けられ、前記ディスプレイを露出する開口を有するアウタエスカッションと、
を備え、
前記ディスプレイ装置及び前記アウタエスカッションの少なくともいずれか一方は、山部及び谷部の繰り返し形状を有する嵌合部を有し、他方は、前記嵌合部の前記谷部に嵌合する少なくとも１つの山部を有する嵌合部を有する
ことを特徴とする車載ディスプレイ装置。
【請求項２】
前記ディスプレイ装置及び前記アウタエスカッションのいずれもが、前記山部及び谷部の繰り返し形状を有する嵌合部を有し、前記ディスプレイ装置の嵌合部の山部及び谷部と、前記アウタエスカッションの嵌合部の谷部及び山部とが互いに嵌合することで、前記ディスプレイ装置と前記アウタエスカッションとの間の位置決めが行われることを特徴とする請求項１に記載の車載ディスプレイ装置。
【請求項３】
前記嵌合部の山部及び谷部の繰り返し形状は、左右方向に形成されていることを特徴とする請求項１又は２に記載の車載ディスプレイ装置。
【請求項４】
前記ディスプレイ装置は、前記ダッシュボードに埋め込まれる装置本体をさらに備え、
前記ディスプレイは、前記装置本体に対して傾倒可能であり、
前記装置本体に前記嵌合部が形成される
ことを特徴とする請求項１ないし３のいずれか一項に記載の車載ディスプレイ装置。
【発明の詳細な説明】
【技術分野】
【０００１】
本発明は、車載ディスプレイ装置に関し、特に、ダッシュボードに埋め込まれるとともに、ダッシュボードに取り付けられたアウタエスカッションの開口からディスプレイが露出する車載ディスプレイ装置に関する。
【背景技術】
【０００２】
インダッシュタイプのカーナビゲーション装置は、装置本体とディスプレイとからなるディスプレイ装置と、アウタエスカッションとを備えている。カーナビゲーション装置は、装置本体がダッシュボード内部に埋め込まれて、ディスプレイがダッシュボードから露出するように、車両に取り付けられる。そして、ダッシュボードの意匠面にはディスプレイを露出する開口が設けられたアウタエスカッションが取り付けられる。
【０００３】
上述のように、装置本体及びアウタエスカッションは車両（のダッシュボード）に固定される。ディスプレイは装置本体に対して可動であり、よって装置本体を固定するダッシュボードやそのダッシュボードに固定されたアウタエスカッションに対しても可動である。ディスプレイは、正立姿勢において、アウタエスカッションの開口内に収まる。
【０００４】
ディスプレイとアウタエスカッションとの間には０．５ｍｍ〜１．０ｍｍ程度の隙間が確保される。これは、ディスプレイがアウタエスカッションに対して可動であるという理由のほかに、ディスプレイ装置の製造誤差及び取付作業を考慮したものである。従って、ディスプレイがアウタエスカッションの開口の中央に取り付けられ、ディスプレイとアウタエスカッションとの間の隙間が左右で等しくなるように取付けを行なうことが求められる。
【０００５】
特に、異型ＡＶナビと呼ばれるカーナビゲーション装置では、ディスプレイとアウタエスカッションの隙間が狭く設定され、意匠品位を保つために従来よりもディスプレイの左右のアウタエスカッションとの隙間の偏差を少なくすること、即ち、アウタエスカッションの左右方向中央にディスプレイが位置するように装置本体及びアウタエスカッションを車両に固定することが求められている。
【０００６】
アウタエスカッションは、ディスプレイがその開口の中央に収まるように位置決めをして、ディスプレイ装置に固定される。装置本体を車両に組み付ける際には、装置本体にＬ字型のブラケットを取り付けてからダッシュボードに固定される。
【先行技術文献】
【特許文献】
【０００７】
【特許文献１】特開２００５−４７４８３号公報
【発明の概要】
【発明が解決しようとする課題】
【０００８】
しかしながら、アウタエスカッションをディスプレイ装置に固定する際のビス止めのトルクによって、アウタエスカッションが、一度決めた位置から移動してしまい、ディスプレイの左右とアウタエスカッションとの間の隙間の偏差を均一にすることができないという課題があった。
【０００９】
また、この課題は、カーナビゲーション装置に限らず、ダッシュボードに固定されてディスプレイを露出する開口が設けられたアウタエスカッションと、ダッシュボードに埋め込まれてアウタエスカッションの開口から露出するディスプレイとを含み、アウタエスカッションとディスプレイの位置関係が固定されないタイプの車載ディスプレイ装置において共通する課題である。
【００１０】
本発明は、上記の課題に鑑みてなされたものであり、アウタエスカッションとディスプレイとの位置関係を所望の位置に位置決めできるとともに、一度位置決めされたアウタエスカッションとディスプレイとの位置関係がずれないように、車両に取り付けることのできる車載ディスプレイ装置を提供することを目的とする。
【課題を解決するための手段】
【００１１】
上記の課題を解決するために、本発明の車載ディスプレイ装置は、車両のダッシュボードに取り付けられる車載ディスプレイ装置であって、ディスプレイを備え、前記ダッシュボードに埋め込まれるディスプレイ装置と、前記ダッシュボードに取り付けられ、前記ディスプレイを露出する開口を有するアウタエスカッションとを備え、前記ディスプレイ装置及び前記アウタエスカッションの少なくともいずれか一方は、山部及び谷部の繰り返し形状を有する嵌合部を有し、他方は、前記嵌合部の前記谷部に嵌合する少なくとも１つの山部を有する嵌合部を有する構成を有している。
【００１２】
この構成により、ディスプレイ装置及びアウタエスカッションの少なくともいずれか一方が有する嵌合部の谷部に、他方が有する嵌合部の山部が嵌合することで、ディスプレイ装置とアウタエスカッションとの間の位置決めが行われるので、その状態でディスプレイ装置又はアウタエスカッションを車両に取り付ける際にも両者の位置関係がずれることを防止できる。また、その際に嵌合部の繰り返しピッチ単位の所望の位置で、ディスプレイ装置とアウタエスカッションとの位置関係を決めることができる。
【００１３】
また、上記の車載ディスプレイ装置において、前記ディスプレイ装置及び前記アウタエスカッションが、いずれも山部及び谷部の繰り返し形状を有する嵌合部を有し、前記ディスプレイ装置の嵌合部の山部及び谷部と、前記アウタエスカッションの嵌合部の谷部及び山部とが互いに嵌合することで、前記ディスプレイ装置と前記アウタエスカッションとの間の位置決めが行われてよい。
【００１４】
この構成により、ディスプレイ装置及びアウタエスカッションのいずれにも山部及び谷部の繰り返し形状を有する嵌合部が設けられるので、複数の山部と谷部とが嵌合することになり、ディスプレイ装置とアウタエスカッションとの位置関係をより確実に固定できる。
【００１５】
また、上記の車載ディスプレイ装置において、前記嵌合部の山部及び谷部の繰り返し形状は、左右方向に形成されていてよい。
【００１６】
この構成により、嵌合部の繰り返しピッチ単位の左右方向の所望の位置で位置決めをすることができる。
【００１７】
また、上記の車載ディスプレイ装置において、前記ディスプレイ装置は、前記ダッシュボードに埋め込まれる装置本体をさらに備えていてよく、前記ディスプレイは、前記装置本体に対して傾倒可能であってよく、前記装置本体に前記嵌合部が形成されてよい。
【００１８】
この構成により、ディスプレイがアウタエスカッションに対して傾倒可能であっても、嵌合部を利用して、ディスプレイ装置とアウタエスカッションとの間の位置関係を固定させることができる。
【発明の効果】
【００１９】
本発明は、ディスプレイ装置にアウタエスカッションを取り付ける際に、ディスプレイ装置とアウタエスカッションとの間の位置関係がずれることを防止できるという効果を有する。
【図面の簡単な説明】
【００２０】
【図１】本発明の実施の形態の車載ディスプレイ装置の平面図
【図２】本発明の実施の形態の車載ディスプレイ装置の斜視図
【図３】本発明の実施の形態の車載ディスプレイ装置の分解斜視図
【図４】本発明の実施の形態の図１のＡ部分の拡大図
【発明を実施するための形態】
【００２１】
以下、本発明の実施の形態の車載ディスプレイ装置を説明する。図１は、本発明の実施の形態の車載ディスプレイ装置の平面図であり、図２は、本発明の実施の形態の車載ディスプレイ装置を左前上方から見た斜視図であり、図３は、本発明の実施の形態の車載ディスプレイ装置を左前上方から見た分解斜視図である。車載ディスプレイ装置１００は、ディスプレイ１１と装置本体１２とからなるディスプレイ装置１０と、アウタエスカッション２０とからなる。本実施の形態において、ディスプレイ装置１０は、車両のダッシュボードに取り付けられるインダッシュタイプのカーナビゲーション装置である。
【００２２】
ディスプレイ装置１０は、装置本体１２がダッシュボード内部に形成された収容部に収容されて、固定される。ディスプレイ１１は、装置本体１２に対して図示しない駆動機構により傾倒駆動される。
【００２３】
アウタエスカッション２０は、ダッシュボードの意匠面に取り付けられる。アウタエスカッション２０には、ディスプレイ１１を露出するための開口２１が設けられる。アウタエスカッション２０及び装置本体１２は、ディスプレイ１１が装置本体１２に対して正立姿勢となったときに、アウタエスカッション２０の開口２１に収まるように、それぞれ車両のダッシュボードに固定される。
【００２４】
このとき、ディスプレイ１１の左右とアウタエスカッション２０との間には、ディスプレイ１１の傾倒駆動も考慮して一定の間隔が設けられる。即ち、ディスプレイ１１が、車両に固定された装置本体１２に対して傾倒する際には、ディスプレイ１１は車両に固定されたアウタエスカッション２０に対しても移動することになるので、それらの間には一定の隙間が確保されている。
【００２５】
装置本体１２の前面（ディスプレイ１１が設けられる面）には、ディスプレイ１１を受ける枠形状のインナエスカッション１２１が設けられる。ディスプレイ１１が装置本体１２に取り付けられた状態で、インナエスカッション１２１の上部は、ディスプレイ１１の上端よりも上に出ている。
【００２６】
インナエスカッション１２１の上部には、アウタエスカッション２０を支持する支持部１２１１が形成されている。支持部１２１１は、周囲から突出して形成されている。アウタエスカッション２０には、インナエスカッション１２１の支持部１２１１に当接する当接部２２が形成されている。当接部２２も周囲から突出して形成されている。支持部１２１１と当接部２２とは互いに対向する位置に形成される。
【００２７】
ディスプレイ装置１０にアウタエスカッション２０を固定する際には、アウタエスカッション２０の当接部２２をインナエスカッション１２１の支持部１２１１に当接させることで、アウタエスカッション２０とディスプレイ装置１０との左右方向の位置決めがされる。
【００２８】
図４は、支持部１２１１及び当接部２２（図１のＡ部分）の拡大図である。図４は、ディスプレイ装置１０にアウタエスカッション２０が取り付けられた状態を示している。本実施の形態では、インナエスカッション１２１の支持部１２１１には、山部と谷部とが周期的に繰り返される鋸歯形状のセレーション５１が形成される。また、アウタエスカッション２０の当接部２２にも、セレーション５１と同形状の鋸歯形状のセレーション５２が形成される。
【００２９】
支持部１２１１のセレーション５１は、支持部１２１１における当接部２２と対向する面に形成される。当接部２２のセレーション５２は、当接部２２における支持部１２１１と対向する面に形成される。
【００３０】
セレーション５１及びセレーション５２は、左右方向に形成されている。支持部１２１１のセレーション５１と、当接部２２のセレーション５２とは、歯の高さ及びピッチが同一であり、山部と谷部が互いに嵌合して、セレーション５１とセレーション５２とが嵌合したときに隙間が形成されないようになっている。
【００３１】
図４に示すように、支持部１２１１はインナエスカッション１２１における周りの部分からアウタエスカッション２０に向かう方向に突出しており、当接部２２もアウタエスカッション２０における周りの部分からインナエスカッション１２１に向けて突出している。よって、セレーション５１とセレーション５２とは、周りの部分が干渉することなく、一方の山部が他方の谷部に嵌合して、噛み合うことができる。セレーション５１及びセレーション５２は、本発明の嵌合部に相当する。
【００３２】
ディスプレイ装置１０にアウタエスカッション２０を固定する際には、アウタエスカッション２０の開口の中央にディスプレイ装置１０のディスプレイ１１が位置するように、アウタエスカッション２０が位置決めされる。このとき、インナエスカッション１２１の支持部１２１１のセレーション５１とアウタエスカッション２０の当接部２２のセレーション５２とが互いに嵌合するようにする。セレーション５１とセレーション５２とが嵌合した状態で、アウタエスカッション２０がインナエスカッション１２１に向けて押圧されることで、アウタエスカッション２０は、インナエスカッション１２１に対して前後方向及び左右方向に位置決めされる。
【００３３】
このとき、セレーション５１とセレーション５２とは、図４に示すようにそれらの中心が一致するように噛み合わなくてもよい。インナエスカッション１２１の支持部１２１１のセレーション５１のどの谷部及び山部とアウタエスカッション２０の当接部２２のセレーション５２のどの山部及び谷部とが噛み合うかは、アウタエスカッション２０の左右方向の位置決めによる。
【００３４】
アウタエスカッション２０とインナエスカッション１２１との間の左右方向の位置決めは、セレーション５１及びセレーション５２の鋸歯形状のピッチを最小単位として行うことができる。よって、精密な位置決めを行うためには、セレーション５１及びセレーション５２の鋸歯形状のピッチは小さければ小さいほどよい。
【００３５】
但し、ピッチが小さすぎると、１つ１つの歯の強度が小さくなり、取り付け等の際に容易に破損してしまうこともある。このとき、歯の高さを低くすると、強度は確保できるが、その場合には、セレーション５１とセレーション５２との嵌合が外れやすくなり、アウタエスカッション２０がインナエスカッション１２１に対して左右方向にずれるやすくなる。また、ピッチをあまりに小さく設計すると、製造コストが増加したり、樹脂成型する場合には樹脂の流動性により成型が困難な場合がある。
【００３６】
これらの観点から、セレーション５１及びセレーション５２の鋸歯形状のピッチは、好ましくは０．０５ｍｍ〜０．５ｍｍとする。また、鋸歯形状の高さは、好ましくは０．０５ｍｍ〜１．０ｍｍとすることができる。本実施の形態では、歯のピッチは０．１ｍｍ、歯の高さは０．１ｍｍとしている。
【００３７】
以上のように、本実施の形態の車載ディスプレイ装置１００によれば、ディスプレイ装置１０側及びアウタエスカッション２０側にそれぞれ、複数の狭い（ピッチの小さい）セレーション５１、５２を設けて、それらを嵌合させる構造としている。歯の噛み合わせ位置を変えることで、アウタエスカッション２０の位置をディスプレイ装置１０に対して左右方向に移動できる。このため、ディスプレイ１１にあわせて、アウタエスカッション２０とディスプレイ１１との間の隙間を、歯のピッチを最小単位として任意に調整できる。
【００３８】
本発明は、上記の実施の形態で示した具体例に限定されない。上記の実施の形態に対して種々の変形が可能である。例えば、上記の実施の形態では、本発明の嵌合部に相当する部分として、ディスプレイ装置１０側にセレーション５１が設けられ、アウタエスカッション２０側にもセレーション５２が設けられたが、ディスプレイ装置１０側及びアウタエスカッション２０側のいずれか一方に上記で説明したようなセレーションが設けられるとともに、他方には本発明の嵌合部に相当する部分として、当該セレーションの１つの谷部に嵌合する１つの山部が形成されるのみであってもよい。この山部も本発明の嵌合部に相当する。
【００３９】
また、上記の実施の形態では、セレーション５１及びセレーション５２は、それぞれ装置本体１２の上部中央及びアウタエスカッション２０の上部中央の位置に形成されていたが、セレーション５１とセレーション５２とが互いに対応する位置に形成されるのであれば、他の位置に形成されてもよい。セレーション５１が形成された支持部１２１１とセレーション５２が形成された当接部２２との組み合わせは、複数個所に設けられてもよい。
【００４０】
さらに、セレーション５１及びセレーション５２の歯の頂部及び谷部は、丸みを帯びていてもよく、左右方向にずらした任意の位置で互いに嵌合できる山部及び谷部の繰り返し形状であれば、他の形状であってもよい。また、上記の実施の形態では、セレーション５１の谷部とセレーション５２の山部及びセレーション５１の山部とセレーション５２の谷部とは、同一の形状であり、セレーション５１とセレーション５２とは隙間を形成することなく嵌合されたが、セレーション５１の谷部とセレーション５２の山部又はセレーション５１の山部とセレーション５２の谷部とは、繰り返し形状のピッチが同じであれば、異なる形状であってよく、それによってセレーション５１とセレーション５２との間に隙間が形成されてもよい。
【００４１】
さらに、ディスプレイ１１が、傾倒しない固定式であってもよい。このとき、ディスプレイ装置１０側のセレーション５１は、ディスプレイ１１に直接設けられていてもよい。また、ディスプレイ装置は、装置本体を含まず、ディスプレイのみからなる構成であってもよい。
【産業上の利用可能性】
【００４２】
以上のように、本発明の車載ディスプレイ装置は、ディスプレイ装置にアウタエスカッションを取り付ける際に、ディスプレイ装置とアウタエスカッションとの間の位置関係がずれることを防止できるという効果を有し、ダッシュボードに埋め込まれるとともに、ダッシュボードに取り付けられたアウタエスカッションの開口からディスプレイが露出する車載ディスプレイ装置等として有用である。
【符号の説明】
【００４３】
１００  車載ディスプレイ装置
１０  ディスプレイ装置
１１  ディスプレイ
１２  装置本体
１２１  インナエスカッション
１２１１  支持部
２０  アウタエスカッション
２１  開口
２２  当接部
５１  セレーション
５２  セレーション
【図１】
2013159124.tif 000003
【図２】
2013159124.tif 000004
【図３】
2013159124.tif 000005
【図４】
2013159124.tif 000006